(57)【要約】【課題】レンズなどの機器構成に制約を与えることなく、受光素子面から塵埃の除去を行うデジタルカメラを提供する。【解決手段】撮影モード時に塵埃除去ボタン１７を押圧すると、昇降装置４８は昇降板４２を上昇させて、撮影光路Ｌ内にクリーニングフィルム５０を進出させる。この状態で、制御基盤から駆動モータに駆動信号が出力され、駆動軸３８，４０が時計方向に回転駆動される。これにともない巻回ローラ４４，４６も同方向に回動されて（矢印Ａ）、クリーニングフィルム５０がＣＣＤ３６の受光素子面で摺動走行される（矢印Ｂ）。受光素子面に付着した塵埃は、クリーニングフィルム５０が受光素子面に接触することによって受光素子面から剥離され、クリーニングフィルム５０に吸着されて受光素子面から除去される。【選択図】    図１
2004172961.tif 000002
【特許請求の範囲】
【請求項１】
撮影光路に受光面を備えた平面型撮像素子が配置されたレンズ交換式のデジタルカメラにおいて、
塵埃の吸着性を備えた可撓性帯状体と、
該可撓性帯状体を前記受光面に対して摺動走行させる帯状体走行手段と、を備えていることを特徴とするデジタルカメラ。
【請求項２】
前記帯状体走行手段には、
撮影光路内と撮影光路外とで前記可撓性帯状体を進退移動させる帯状体進退移動手段が設けられていることを特徴とする、請求項１に記載されたデジタルカメラ。
【請求項３】
前記可撓性帯状体は、
半透明なクリーニングフィルムであることを特徴とする請求項１に記載されたデジタルカメラ。
【請求項４】
前記可撓性帯状体には、
前記撮影光路を確保するための受光孔が形成されていることを特徴とする請求項１に記載されたデジタルカメラ。
【請求項５】
前記可撓性帯状体は、
塵埃を静電吸着するクリーニングフィルムであることを特徴とする請求項１乃至請求項４のいずれかに記載されたデジタルカメラ。
【発明の詳細な説明】
【０００１】
【発明の属する技術分野】
本発明はデジタルカメラに係り、特に、受光面を備えた平面型撮像素子によって撮像が行われるデジタルカメラに関する。
【０００２】
【従来の技術】
周知の如く、デジタルカメラによる撮像は、撮影レンズにて形成された被写体像を平面型撮像素子（ＣＣＤ）の受光面にてアナログ信号にて出力し、さらにこの信号をデジタル信号に変換処理してスマートメディアなどの記録媒体に保存／記録することで行われる。
【０００３】
しかし、従来のデジタルカメラでは、ＣＣＤの受光面に付着物が付着してしまうと、本来得られる被写体像通りの撮像が困難となる欠点があった。すなわち、たとえば先端レンズ群からなるレンズ鏡筒の交換が可能なレフレックスデジタルカメラ（一眼レフデジタルカメラ）では、レンズ鏡筒の交換時にゴミや塵などの塵埃がデジタルカメラ内部に侵入すると、電荷を帯びた受光面にこれら塵埃が付着してその箇所が遮光されてしまう。ＣＣＤの受光面は非常に小型で、かつ多数の受光素子が整列配置されているため、たとえ微細な塵埃が受光面に付着したとしてもその影が受光素子に写り込み、その部分の画素が欠落して画像不良が発生する。
【０００４】
これに対応するために、たとえばＣＣＤを密封部材で封入し、受光面への塵埃の付着を防止したデジタルカメラや（例えば特許文献１参照）、ＣＣＤの前に設けられたシャッタ幕の前方に、塵埃の侵入を防止するガラスを設置したデジタルカメラが知られている（例えば特許文献２参照）。
【０００５】
【特許文献１】
特開平１１−１０９２０３号公報
【０００６】
【特許文献２】
特開２００２−９０８４２
【０００７】
【発明が解決しようとする課題】
しかし、ＣＣＤを密封部材で封入したデジタルカメラでは、塵埃写り込み防止の効果があるのみで塵埃の除去には至っていない。また、このようなデジタルカメラでは先端レンズ群の配置構成に制約が生じるため、レンズ交換式の一眼レフデジタルカメラには適用が困難であった。
【０００８】
さらに、シャッタ膜の前方に塵埃侵入防止用のガラスを設置したデジタルカメラでは、カメラ本体に内蔵されるミラーの配置構成に制約を与えてしまう。また、このようなデジタルカメラでは、広角レンズのレンズ構成に制約を与えてしまうため、レンジファインダーカメラには適用が困難であった。
【０００９】
本発明は上記点を鑑みてなされたものであり、レンズなどの機器構成に制約を与えることなく、受光面から塵埃の除去が行えるデジタルカメラを提供することを目的とする。
【００１０】
【課題を解決するための手段】
本発明は前記目的を達成する為に、撮影光路に受光面を備えた平面型撮像素子が配置されたレンズ交換式のデジタルカメラにおいて、塵埃の吸着性を備えた可撓性帯状体と、該可撓性帯状体を前記受光面に対して摺動走行させる帯状体走行手段と、を備えていることを特徴としている。
【００１１】
本発明によれば、受光面に塵埃の吸着性を備えた可撓性帯状体を摺動走行させて、受光面の塵埃の除去を行うことができる。
【００１２】
請求項２に記載の発明によれば、この帯状体走行手段には、撮影光路内と撮影光路外とで前記可撓性帯状体を進退移動させる帯状体進退移動手段が設けられているので、撮影時には可撓性帯状体を撮影光路外まで退避させて撮影光路を確保し、受光面における被写体像の受光が可能となる。
【００１３】
また、請求項３に記載の発明によれば、この可撓性帯状体は、半透明なクリーニングフィルムにて構成されているので、撮影光路内にクリーニングフィルムを位置させたままでも、被写体像がクリーニングフィルムを透過し、受光面における受光が可能であるので、撮影光路内から可撓性帯状体を退避させることなく撮影光路を確保できる。
【００１４】
さらに、請求項４に記載の発明によれば、この可撓性帯状体には、撮影光路を確保するための受光孔が形成されているので、撮影時にはこの受光孔を受光面に位置させて撮影光路を確保して、受光面における被写体像の受光を可能としている。これにより、撮影光路内から可撓性帯状体を退避させることなく撮影光路を確保でき、受光面における被写体像の受光が可能となる。
【００１５】
請求項５に記載の発明によれば、この可撓性帯状体は、塵埃を静電吸着するクリーニングフィルムにて構成されているので、受光面の塵埃の除去を行うことができる。また、受光面に可撓性帯状体を接触させることなく受光面に付着した塵埃をクリーニングフィルムにて吸着して除去することもできる。
【００１６】
【発明の実施の形態】
以下、添付図面に従って、本発明に係るデジタルカメラの好ましい実施の形態について詳説する。図１は、本発明に係るデジタルカメラ１０の第１の実施の形態を示した斜視図である。
【００１７】
カメラ１０は、主としてカメラ本体１２、レンズ鏡筒１４、シャッタボタン１６などから構成されている。
【００１８】
カメラ本体１２の上部天面にはシャッタボタン１６や、撮影ステータスなどを表示させる液晶表示部１８が設けられている。また、カメラ本体１２の背面上部には接眼窓２０が配置されている。なお、シャッタボタン１６の近傍には主電源／モード切換スイッチ１５のほか、塵埃除去ボタン１７などが設けられている。
【００１９】
カメラ本体１２の正面にはレンズ鏡筒１４が着脱自在に取り付けられている。このレンズ鏡筒１４は、同図に示すように略円筒形状で形成されており、その外周面には、後述するクローズアップレンズ２２〜２６を操作するための操作環２８などが設けられている。レンズ鏡筒１４の内部には不図示のバヨネット機構が備えられており、カメラ本体１２の正面に形成されたレンズマウント（不図示）とバヨネットとが係合され、これによりレンズ鏡筒１４はカメラ本体１２に着脱自在とされている。レンズ鏡筒１４の交換が可能であるので、例えば本実施の形態に示した望遠レンズの他に、広角レンズなどをその用途に応じて取り付けることができる。
【００２０】
クローズアップレンズ２２〜２６における一部のレンズは、前述した操作環２８と不図示の円筒カムによる直動手段にて係合され、操作環２８の回転操作によって撮影光路（主光軸）Ｌに沿って移動される。これにより、撮影者による焦点距離やズーム倍率の調整が可能である。また、カメラ本体１２の内部には複数のレンズ２８，２８…や反射ミラー３０，３２などが設けられ、クローズアップレンズ２２〜２６から接眼窓２０にわたる光路上に配置されている。これにより、接眼窓２０による被写体の目視確認を可能としている。
【００２１】
撮影光路Ｌ上におけるレンズ２２〜２６の結像位置には、回路基盤３４に搭載されたＣＣＤ３６が配設されている。このＣＣＤ３６は、多数の受光素子が整列配置された受光面を有しており、この受光面をデジタルカメラ１０の前方、すなわちレンズ２２〜２６側に向けて回路基盤３４に取り付けられている。なお、ＣＣＤ３６の受光面の表面には、ローパスフィルタや赤外線フィルタ（これらは不図示とする）などが取り付けられているほか、後述するクリーニングフィルム５０を受光面で摺動させても受光面に傷などを生じさせない保護ガラスを取り付けた構成としてもよい。
【００２２】
ここで、反射ミラー３０には、反射ミラー３０を回転させる不図示の回転機構が設けられている。同図に示すように反射ミラー３０は、撮影光路Ｌ内に進出して接眼窓２０までの光路を確保しているため、この状態ではＣＣＤ３６の受光面における被写体像の受光はできないが、撮影時には、この回転機構によって反射ミラー３０が所定の角度まで回転されて、受光面への撮影光路Ｌが確保され、受光面における被写体像の受光が可能となる。
【００２３】
回路基盤３４には、ＣＣＤ３６と回路接続された撮像信号処理回路が備えられ、前記ＣＣＤ３６によって撮像されたアナログ信号が、この撮像信号処理回路にて処理されてデジタルデータに変換される。
【００２４】
回路基盤３４の近傍には昇降板４２が設けられている。この昇降板４２は同図に示すように、回路基盤３４などとの干渉を避けた略コの字形状に形成され、昇降板４２の近傍に設けられた昇降装置４８に支持材４９を介して昇降可能に支持されている。昇降装置４８には、昇降板４２が上昇位置及び下降位置にあること検出する不図示のセンサが内蔵されている。
【００２５】
昇降板４２の上面には駆動軸３８，４０が設けられている。この駆動軸３８，４０は、その回転軸が夫々ＣＣＤ３６の受光面に対して並行となるように配置されている。また、この駆動軸３８，４０には巻回ローラ４４，４６が着脱自在に装着される。さらに、この駆動軸３８，４０は不図示の駆動モータを内蔵しており、駆動軸３８，４０に装着された巻回ローラ４４，４６を回動できる。なお、駆動軸３８，４０は不図示のタイミングベルトを有しており、巻回ローラ４４，４６夫々の回転方向と回転数が連動される構成となっている。
【００２６】
巻回ローラ４４，４６には、可撓性帯状体を構成するクリーニングフィルム５０が巻回されている。このクリーニングフィルム５０は、受光面で摺動させても受光面に傷などを生じさせない表面処理が施されている。なお、このクリーニングフィルム５０は巻回ローラ４４，４６ごと駆動軸３８，４０から取り外すことができるので、たとえば塵埃除去性能が劣化した際にもクリーニングフィルム５０を交換できる。
【００２７】
昇降板４２には、クリーニングフィルム５０に所定の張力を付与したまま、クリーニングフィルム５０を所定位置に微調整可能な不図示のテンショナーや、クリーニングフィルム５０の破断などの異常が発生した場合に、これを検出可能なフィルム切断検出センサ（不図示）などが設けられている。
【００２８】
回路基盤３４には、カメラ１０を総合的に制御する制御装置が備えられている。この制御装置は、たとえば前述したシャッタボタン１６などの各操作機器や、ＣＣＤ３６、液晶表示部１８などと不図示の回路を介して接続されており、撮影者によるシャッタボタン１６や塵埃除去ボタン１７の押圧操作などに基づいて、内蔵機器に対して対応した指示信号を出力する。特に、この制御装置は駆動軸３８，４０を駆動する駆動モータや昇降装置４８などとも回路接続されており、これら機器に駆動信号を出力する。
【００２９】
また、カメラ本体１２の内部には、制御装置に回路接続されたリーダ・ライタ装置５２が設けられている。このリーダ・ライタ装置５２には、デジタルデータを記録保存するためのメモリカード５４が着脱自在に挿入され、たとえば撮影モード時に、前記シャッタボタン１６の押圧操作による記録指示入力があると、撮像信号処理回路によって処理されたデジタルデータをリーダ／ライタ装置５２を介してこのメモリカード５４に記録保存できる。また、再生モード時には、撮像信号処理回路によってメモリカード５４に保存されているデジタルデータがリーダ／ライタ装置５２を介して読み出される。なお、本実施の形態においては、メモリカード５４としては例えばスマートメディアを用いているが、これに限らず記録媒体としてＸＤピクチャーカードやＰＣカード、フラッシュメモリーカードなどを用いてもよい。なお、メモリカード５４は、カメラ本体１２の側面に設けられた扉５６を開閉してカメラ本体１２から取り出し可能で、これによりメモリカード５４を交換できる。
【００３０】
カメラ本体１２の背面の接眼窓２０の下方には、不図示のモニタ表示部が設けられている。このモニタ表示部は、モニタ表示部を照明するバックライトとともに回路基盤３４の背面に搭載されて、カメラ本体１２の当該領域に開設された矩形窓からモニタ表示部の表示面を露呈するように配置されている。このモニタ表示部には、メモリカード５４に記録された画像や各種設定画面などが表示される。
【００３１】
この様な構成のデジタルカメラ１０を用いて撮影を行う場合には、はじめに主電源／モード切換スイッチ１５を切り替えて撮影モードとする。この後、撮影者は接眼窓２０によって被写体を捕らえ、被写体を撮影範囲に収めるようにカメラ１０を操作（フレーミング）し、シャッタボタン１６を押圧操作して撮像を行なう。
【００３２】
撮影者によって操作環２８を操作してクローズアップレンズ２２〜２６による焦点距離やズーム倍率の調整を行った後、シャッタボタン１６を半押しすることによりフォーカシングや露出制御が行われる。さらに、接眼窓２０によってピントや露出を確認した上でシャッタボタン１６を全押しすることによって撮像が行われる。撮像した静止画像のデジタルデータはメモリカード５４に記録されて保存される。なお、撮影モード時には、昇降板４２は常に下降位置に位置されている。
【００３３】
また、主電源／モード切換スイッチ１５を切り替えて再生モードとした際にはメモリカード５４に保存されているデジタルデータがリーダ／ライタ装置５２を介して読み出され、再生画像としてモニタ表示部にて表示されるが、これら再生モードの詳細説明は省略する。
【００３４】
次に、前記の如く構成されたデジタルカメラ１０を用いた受光面の塵埃の除去についてその作用を説明する。とくに、レンズ鏡筒１４の交換を行った際には、この除去操作を必ず行うことが望ましい。
【００３５】
まず初めに、主電源／モード切換スイッチ１５を切り替えて撮影モードとする。次に、塵埃除去ボタン１７を押圧する。これに伴い制御装置では塵埃除去モードに切り換わり、塵埃を除去する間のデジタルカメラ１０における各操作機器の操作を受け付けなくなる。
【００３６】
塵埃除去モードに切り換わると、制御装置からは昇降装置４８に昇降板４２を上昇位置まで上昇させる駆動信号が出力され、昇降装置４８は、センサにより昇降板４２の上昇位置が検出されるまで昇降板４２を上昇させる。すると、同図に示すように撮影光路Ｌ内にクリーニングフィルム５０が進出する。
【００３７】
次に、受光面にクリーニングフィルム５０が接触するように、昇降板４２に設けられたテンショナーによってクリーニングフィルム５０の位置が調整される。この状態で、制御装置から駆動モータに駆動信号が出力され、駆動軸３８，４０が時計方向に回転駆動される。これにともない巻回ローラ４４，４６も同方向に回動されて（矢印Ａ）、クリーニングフィルム５０がＣＣＤ３６の受光面で摺動走行される（矢印Ｂ）。受光面に付着した塵埃は、クリーニングフィルム５０が受光面に接触することによって受光面から剥離され、クリーニングフィルム５０に吸着されて受光面から除去される。なお、クリーニングフィルム５０の表面に起毛処理などを施して、この起毛を受光面に接触させる構成としてもよい。
【００３８】
予め設定された所定時間（２〜４秒程度）の経過後、制御装置によって駆動モータが停止され、昇降装置４８に昇降板４２を下降位置まで下降させる駆動信号が出力される。昇降装置４８は、センサにより下降位置が検出されるまで昇降板４２を下降させる。この際、昇降板４２に設けられたテンショナーによって受光面とクリーニングフィルム５０とが所定の隙間を維持するようにクリーニングフィルム５０の位置が調整される。これにより、撮影光路Ｌ外にクリーニングフィルム５０が後退して撮影光路Ｌが確保され、ＣＣＤ３６の受光面における被写体像の受光が可能となる。この後、制御装置では塵埃除去モードが解除される。なお、この昇降板４２の昇降時には、受光面とクリーニングフィルム５０とが干渉することの無いように、前述したテンショナーによってクリーニングフィルム５０の位置が調整される。
【００３９】
この様な構成のデジタルカメラ１０によって、受光面にクリーニングフィルム５０を摺動走行させて受光面の塵埃を除去できる。とくに、巻回ローラ４４，４６を昇降させる昇降板４２によって、撮影光路内と撮影光路外とでクリーニングフィルム５０を進退移動させるので、撮影時にはクリーニングフィルム５０を撮影光路外まで退避させて撮影光路Ｌを確保し、受光面における被写体像の受光が可能となる。
【００４０】
次に、本発明に係るデジタルカメラの第２の実施の形態について説明する。本実施の形態では、可撓性帯状体として、半透明なクリーニングフィルムを用いたものである。
【００４１】
このクリーニングフィルムとしてはたとえば、その表面に塵埃などの吸着性を備えた処理が施されたポリ塩化ビニルやポリエチレンが用いられる。このような構成のクリーニングフィルムをＣＣＤの受光面で摺動走行させることで、受光面に付着した塵埃は受光面から剥離され、クリーニングフィルムに吸着されて受光面から除去される。また、撮影光路Ｌ内（図１参照）にクリーニングフィルムを位置させたままでも、被写体像がクリーニングフィルムを透過して受光面における受光が可能となるので、前記デジタルカメラ１０で示した帯状体進退移動手段を設けない場合には、このクリーニングフィルムを用いれば受光面からの塵埃の除去が行える。
【００４２】
さらに、本発明に係るデジタルカメラの第３の実施の形態について説明する。本実施の形態では、可撓性帯状体として、塵埃を静電吸着するクリーニングフィルムを用いたものである。
【００４３】
このクリーニングフィルムは、たとえば帯電性糸条を少なくともその一部に含む合成繊維織物にて構成され、とくにこの合成繊維はポリエステルなど、帯電し易い材質であることが望ましく、これが平織状に形成され、その経緯糸として所定ピッチで帯電性糸条が挿入されている。このクリーニングフィルムを帯電していない他の導体に近づけると、後者の表面には、クリーニングフィルムが帯電している電荷と反対符号の電荷が現れる。これにより生まれる静電吸着性によって他の導体、すなわち塵埃などをクリーニングフィルムに吸着できる。このような構成のクリーニングフィルムをＣＣＤの受光面で摺動走行させることで、受光面に付着した塵埃は受光面から剥離され、クリーニングフィルムに吸着されて受光面から除去される。なお、本実施の形態においては、受光面にクリーニングフィルムを接触させることなく、所定の隙間を維持したまま塵埃を静電吸着して除去することもできる。これにより、たとえばクリーニングフィルムに吸着した塵埃が受光面を摺動して傷を生じさせることを防止できる。
【００４４】
次に、本発明に係るデジタルカメラの第４の実施の形態を図２に示す。なお、同図におけるデジタルカメラ８０では、前述した図１におけるデジタルカメラ１０と同一の部材には同一の番号を用いて示している。
【００４５】
デジタルカメラ８０のカメラ本体１２の内部には駆動軸８８，９０が設けられている。この駆動軸８８，９０は、その回転軸が夫々ＣＣＤ３６の受光面に対して並行となるように配置されている。また、駆動軸８８，９０には、回路基盤３４の制御装置と接続された不図示の駆動モータが内蔵され、駆動軸８８，９０に装着された巻き出しローラ８４および巻き取りローラ８６を制御装置によって回動制御できる。
【００４６】
巻き出しローラ８４および巻き取りローラ８６にはクリーニングフィルム９２が巻回されており、巻き出しローラ８４から引き出されたクリーニングフィルム９２は、巻き取りローラ８６に巻回されて巻き取られる構成となっている。
【００４７】
回路基盤３４には１組のガイドローラ８２，８２…が設けられ、これらローラは回路基盤３４の端部（左右２箇所）に配置されている。このガイドローラ８２，８２…は、その回転軸が夫々ＣＣＤ３６の受光面に対して並行となるように配置されている。また、ガイドローラ８２，８２には、クリーニングフィルム９２に所定の張力を付与するとともに、クリーニングフィルム９２を所定位置に微調整可能な不図示のテンショナーが設けられている。
【００４８】
ここで、本実施の形態で用いられるクリーニングフィルム９２は、前述した第１の実施の形態において用いたクリーニングフィルム５０に受光孔９４，９４…を形成したものである。この受光孔９４，９４…は、クリーニングフィルム９２の長手方向に対して所定の間隔で配置されており、クリーニングフィルム９２の受光面に対応する位置に配置されている。また、受光孔９４の大きさは、同図に示すように受光面よりもやや大きめに形成されている。なお、回路基盤３４には受光孔９４の位置を検出するセンサ９５が設けられており、この受光孔９４と回路基盤３４の制御装置とは不図示の回路を介して接続されている。これにより、制御装置では、受光孔９４の位置が認識できる。なお、このほかにも巻き出しローラ８４におけるクリーニングフィルム９２の残量を検出するための不図示の残量検出センサや、フィルム切断検出センサ（不図示）などが巻き出しローラ８４近傍に設けられている。
【００４９】
前記の如く構成されたデジタルカメラ８０において、撮影モードや再生モードでは、制御装置によって受光孔９４，９４…のうちの一つの受光孔９４の位置がＣＣＤ３６の受光面と一致にするように制御される。制御装置では、センサ９５の検出結果に基づいて巻き出しローラ８４および巻き取りローラ８６を回転駆動し受光孔９４の位置が制御される。これにより撮影光路Ｌが確保され、受光面における被写体像の受光が可能となっている。
【００５０】
次に、主電源／モード切換スイッチ１５を切り替えて撮影モードとした後、塵埃除去ボタン１７を押圧して塵埃除去モードとする。
【００５１】
塵埃除去モードに切り換わると、制御装置から巻き出しローラ８４および巻き取りローラ８６を時計方向に回動させる駆動信号が出力される。これによって、巻き出しローラ８４および巻き取りローラ８６が回転駆動されて（矢印Ｃ）、クリーニングフィルム９２が走行される（矢印Ｄ）。この際、受光面に付着した塵埃は、クリーニングフィルム９２の符号９２ａ部分が受光面に接触することによって受光面から剥離され、クリーニングフィルム９２に吸着されて受光面から除去される。
【００５２】
この後、制御装置によって受光孔９４の位置が受光面と一致するまで巻き出しローラ８４および巻き取りローラ８６が回転駆動される。この際の受光孔９４は、センサ９５によってその位置が検出されており、受光孔９４の位置が受光面と一致したことが制御装置にて判断されると、制御装置によって駆動モータが停止される。これにより、受光面への撮影光路Ｌが確保され、受光面における被写体像の受光が可能となる。
【００５３】
この様な構成のデジタルカメラ８０によれば、クリーニングフィルム９２には、撮影光路Ｌを確保するための受光孔９４が所定の間隔で形成されているので、撮影時にはこの受光孔９４を受光面に位置させて撮影光路Ｌを確保し、これにより受光面における被写体像の受光が可能となる。
【００５４】
なお、前述した実施の形態に示したデジタルカメラの構造は、前記実施の形態に限定されるものではない。たとえば、クリーニングフィルムの表面に付着した塵埃を洗浄するための塵埃洗浄ブラシを回路基盤３４近傍に設けてもよい。これにより、クリーニングフィルムの塵埃除去性能の劣化を最小限として、可撓性帯状体の交換周期を延長できる。
【００５５】
また、ＣＣＤ３６の受光面に付着した塵埃を検出する塵埃検出センサを回路基盤３４近傍に配置して、この塵埃除去センサによって受光面の塵埃が検出された場合にクリーニングフィルムを摺動走行させる構成としてもよい。この塵埃除去センサは回路基盤３４の制御装置と接続され、制御装置に塵埃の検出結果が出力される。制御装置では、塵埃除去センサによって受光面の塵埃が検出された際に、クリーニングフィルムを摺動走行させて受光面の塵埃の除去を行なう。これにより、塵埃除去ボタン１７を設けることなく、受光面からの塵埃の除去が自動で行える。
【００５６】
【発明の効果】
以上、説明したように本発明に係るデジタルカメラによれば、受光面に塵埃の吸着性を備えた可撓性帯状体を摺動走行させて、受光面の塵埃の除去を行うことができる。
【図面の簡単な説明】
【図１】本発明の実施の形態に係るデジタルカメラの実施の形態を示す斜視図
【図２】本発明の実施の形態に係るデジタルカメラの別の実施の形態を示す斜視図
【符号の説明】
１０，８０…デジタルカメラ、１２…カメラ本体、１７…塵埃除去ボタン、３６…ＣＣＤ、４２…昇降板、４４，４６…巻回ローラ、４８…昇降装置、５０，９２…クリーニングフィルム、８４…巻き出しローラ、８６…巻き取りローラ、９４…受光孔、Ｌ…撮影光路
【図１】
2004172961.tif 000003
【図２】
2004172961.tif 000004